(57)【要約】      （修正有）【課題】  外箱と内箱とからなる二重段ボール箱において、外箱と内箱とを強固に結合する構造の簡単な留め具の提供。【解決手段】  外側板状片１、内側板状片２及びこれらを２枚の板状片を二重段ボール箱の側壁の厚さに等しい間隙をもって連結する支桿とからなる段ボール箱用留め具であって、前記内側板状片２は段ボール箱の側壁に設けた非円形の透孔と同様の形状を有し、外側板状片１は前記透孔より大きな形状を有する二重段ボール箱用留め具である。【選択図】図５
2005320031.tif 000002
【特許請求の範囲】
【請求項１】
外側板状片、内側板状片及びこれらを２枚の板状片を二重段ボール箱の側壁の厚さに等しい間隙をもって連結する支桿とからなる段ボール箱用留め具であって、前記内側板状片は段ボール箱の側壁に設けた非円形の透孔と同様の形状を有し、外側板状片は前記透孔より大きな形状を有することを特徴とする二重段ボール箱用留め具。
【請求項２】
内側板状片の内側表面に凸部を設けた請求項１記載の二重段ボール箱用留め具。
【請求項３】
内側板状片の外縁部にテーパーを設けた請求項１または２記載の二重段ボール箱留め具。
【発明の詳細な説明】
【技術分野】
【０００１】
本発明は外箱と内箱とからなる二重段ボール箱において、外箱と内箱とを強固に結合する二重段ボール箱用止め具に関する。
【背景技術】
【０００２】
従来より例えばレーザープリンタのカートリッジのような衝撃に弱い商品を保管や輸送する際、商品を収納する容器としては、外箱と内箱とからなる二重段ボール箱が使用されている。内箱内に商品を入れ、これを外箱に収納し、外箱と内箱との側壁に貫通孔を穿設し、この貫通孔に留め具を挿入して一体としていた。従来市販されている留め具としては、例えば、図８に示すような外箱の外壁を押さえる枠体ａの一辺にヒンジｂを設け、これに可動板ｃを取付け、可動板ｃを枠体ａ内に嵌め込みロックするようになっている。そして、可動板ｃを枠内に嵌め込んだとき内側に設けられている段ボール挟持板ｄが開くようになっている。これを図９に示すような外箱と内箱に設けてある貫通口に挿入し可動板ｃで枠体を閉じると、内部に設けられている段ボール挟持板ｄが開いて内箱の内壁と外箱の外壁を挟持する。しかし、このような留め具を貫通口に挿入するため内箱内に段ボール挟持板ｄが挿入される空間を必要とし、通常この空間としては内壁から約１２ｍｍ程度を要とするため留め具の設置個所を自由に設定することができない。
【発明の開示】
【発明が解決しようとする課題】
【０００３】
本発明者は従来使用されている留め具のような内箱の内壁と収納される商品との間に空間を必要とせず、また、設定箇所も自由に決めることができ、更により簡単な留め具を得るために種々検討した結果、本発明を完成したもので、本発明の目的は製造及び操作が簡単な二重段ボール箱の留め具を提供する。
【課題を解決するための手段】
【０００４】
本発明の要旨は、外側板状片、内側板状片及びこれらを２枚の板状片を二重段ボール箱の側壁の厚さに等しい間隙をもって連結する支桿とからなる段ボール箱用留め具であって、前記内側板状片は段ボール箱の側壁に設けた非円形の透孔と同様の形状を有し、外側板状片は前記透孔より大きな形状を有することを特徴とする二重段ボール箱用留め具である。
【発明の効果】
【０００５】
本発明の留め具は上述のように非円形の透孔と同じ形状を有する板状片を段ボール箱の透孔に貫挿し、内側板状片を回転させることによって内箱の側壁の内側に当接させるという簡単な操作によって外箱と内箱を固定することができるという極めて簡単な構造である。そして、本発明にかかる留め具と先に示した従来品との大きな相違点は、従来品は段ボール挟持板を挿入後、開いて固定するというように板状の固定部が可動するのに、内箱の内壁と商品との間に約１２ミリ程度のクリアランスが必要であるのに対し、本発明にかかる留め具は板厚分のみで、ほぼクリアランスなしの状態（内箱の内壁と商品とが接触している）でも十分機能を果たすことが出来るので、設置個所を自由に設定することが出来る。
【発明を実施するための最良の形態】
【０００６】
本発明にかかる留め具の材質としては、プラスチック樹脂の成型品が望ましいが、その強度、形状、機能の再現が可能であればその他の何れで見よく、例えば木、金属、紙等でもかまわない。本発明において留め具を挿入するため段ボール箱の側壁に設ける透孔の形状は非円形であればどのような形状でもよいが、留め具の内側板状片を回転させて固定するので中央部を円形とし、円周の一部に突出孔を有するような形状にすると、突出孔によって内側板状片は容易に貫挿でき回転すると係止されて抜けることがないので好ましい。
外側の板状片は透孔より大きい形状を有し、透孔を貫挿出来なければよく、その形状については特に規定はない。そして、この板状片の外側表面には回転を容易にするため把持部を設けることが好ましく、把持部としては板状片の中央に窪みを設け、この窪み内に摘み部を設けると、把持部が板状片の外側に突出しないので好ましい。
内側板状片の形状はこの透孔を貫挿し、回転させることによってこの透孔より抜けなければ良いのであるが、通常透孔と同じ形状とすることが好ましい。内側板状片の外縁部にテーパーを設けることによって回転がスムースにできるので好ましく、また、この板状片の内側表面には凸部を設けると共に凸部の周囲の一部に切り込みを設け、他方、内部段ボール箱の透孔に前記凸部と嵌合するような凹部または小孔部を設けると、留め具を回転させて内側板状片の凸部が段ボール箱の凹部または小孔部に到達したときに凸部自体の復元力によってロックされる。これにより振動又は外部からの衝撃による留め具の回転、脱落を防ぐ。外側板状片と内側板状片とは支桿で連結し、両板状片の内側の間隙を二重段ボール箱の側壁の厚さとする。支桿としては両板状片と同様な素材でよく、その材料の使用量を削減する為に肉抜きとすることが好ましい。
使用に際しては、留め具の内側版状片を段ボール箱の透孔に貫挿させ、留め具全体を回転させると、外側板状片の内側は外箱の外側側面に、内側板状片の内側は、内箱の内側側面にそれぞれ当接して回転し、内側板状片の凸部が段ボールはこの凹部または小孔部に嵌合したときにロックされ、外箱と内箱とを一体に結合することができる。
【実施例】
【０００７】
次に図をもって更に具体的に本発明を説明する。
図１は外側板状片１の正面図、図２は内側板状片２の正面図、図３支桿３の正面図はである。外側板状片１と内側板状片２を図３に示す支桿３で連結して留め具を組み立てる。図４は組み立てた留め具の正面図であり、図５はその斜視図である。また、図６、図７は段ボール箱に穿設した透孔の形状を示し、図６は外箱、図７は内箱のそれぞれの透孔の形状である。
図１において、外側板状片１の中央部に窪み４を設け、その中に摘み５を形成する。内側板状片２は後に述べる外側段ボール箱の側壁に設けた透孔（図６、図７参照）と同様の形状を有し、その内側板状片２の表面に凸部６を設け、凸部に沿って切り込み１１  設け、また、内側板状片の外縁部はテーパーが形成されている。外側板状片１と内側板状片２とは図２に示す支桿３によって段ボール箱側壁の全厚さに等しい間隙をもって連結されて図５に示すように留め具を構成する。
【０００８】
図６外箱に設けた透孔、図７は内箱に設けた透孔で、その形状は支桿を回転させるので支桿よりやや大きい直径を有する円形孔部分８とその左右に突出孔部分９を設けたものである。また、内箱の透孔には更に内側板状片２の表面にある凸部６と嵌合出来るような小孔部１０が設けられている。
使用に際しては、内側板状片を段ボール箱側壁の透孔を貫挿し、外側板状片１の内側表面を外箱の外面に当接させる。そして９０°回転させると、内側板状片２の内側表面は内箱の内面に接しながら回転し、内側板状片２の表面にある凸部６が透孔の小孔部１０に嵌合し外箱の側壁と内箱の側壁とが接して留め具によって固定される。
【産業上の利用可能性】
【０００９】
本発明の留め具は構造が簡単で、取り扱いも容易であり、特に従来品のように内容品と内箱の内壁との間にクリアランスを必要としないので任意の箇所に取り付けることができ、従って、種々の衝撃に弱い製品の保管、輸送に大いに利用される。
【図面の簡単な説明】
【００１０】
【図１】外側板状片の正面図
【図２】内側板状片の正面図
【図３】支桿の側面図
【図４】本発明にかかる留め具の正面図
【図５】本発明にかかる留め具の斜視図
【図６】外箱に設けた透孔の正面図
【図７】内箱に設けた透孔の正面図
【図８】従来の留め具の斜視図
【図９】従来の留め具を段ボール箱に取り付けた状態を示す説明図
【符号の説明】
【００１１】
１    外側板状片      ２    内側板状片         ３    支桿
４    窪み部          ５    摘み部             ６    凸部
７    テーパー部分    ８    透孔の円形孔部分   ９    透孔の突出孔部分
１０  小孔部          １１  切り込み
【図１】
2005320031.tif 000003
【図２】
2005320031.tif 000004
【図３】
2005320031.tif 000005
【図４】
2005320031.tif 000006
【図５】
2005320031.tif 000007
【図６】
2005320031.tif 000008
【図７】
2005320031.tif 000009
【図８】
2005320031.tif 000010
【図９】
2005320031.tif 000011